(57)【要約】【課題】従来の洗浄用具は、洗浄する対象物や汚れの部分を擦る場合、種々雑多な洗浄用具を介するため、指先に洗浄する力の入れ加減が容易でなかった。そこで、手にフィットして、指先に手触りの感触を得られやすくした、手袋状の洗浄用具を提供する。【解決手段】合成繊維製のネットを重畳した状態で、手形状の甲面部１と掌面部８及び五指片２、９を合掌状に重ね合わせ外周縁１４を縫合し、当該外周縁１４で囲まれた甲面部１と掌面部８及び五指片２、９の内面で五指袋を有する手袋を構成し、甲面部１と掌面部８の下部に開口縁３、１０で囲まれた開口部１５を構成し、開口縁３，１０の内側に結束する紐７を設けた、手袋状の洗浄用具。【選択図】図２
0003126926.tif 000002
【実用新案登録請求の範囲】
【請求項１】
合成繊維製のネットを重畳した状態で、手形状に甲面部と掌面部及び五指片を形成し、甲面部と掌面部の第１指片に隣接する第２指片の一側縁を弓形状に形成し、甲面部と掌面部を形成する両側縁の下部に設けた開口縁を縫合し、甲面部と掌面部の上部に形成した第１指片、第２指片、第３指片の上端から開口縁の間に線条の補強糸を縫着し、甲面部と掌面部及び五指片を合掌状に重ね合わせ外周縁を一体形に縫合し、当該外周縁で囲まれた甲面部、掌面部及び五指片の内面で五指袋を有する手袋を構成し、甲面部と掌面部の下部に設けた開口縁で開口部を構成することを特徴とした、手袋状の洗浄用具。
【請求項２】
甲面部と掌面部において、第１指片、第２指片、第３指片の上端から開口縁の間に線条の熱溶着部を設けた請求項１記載の手袋状の洗浄用具。
【請求項３】
甲面部と掌面部において、夫々の両側縁の下部に設けた開口縁を熱溶着した請求項１記載の手袋状の洗浄用具。
【請求項４】
甲面部と掌面部を合掌状に重ね合わせ外周縁を一体形に熱溶着した請求項１記載の手袋状の洗浄用具。
【請求項５】
開口縁の内側に弾力性を有する紐を結束して設けた請求項１，２、３及び４記載の手袋状の洗浄用具。
【考案の詳細な説明】
【技術分野】
【０００１】  本考案は、食器などの他、調理器具、タイル、浴槽などを水洗いする際に使用する手袋状の洗浄用具に関するものである。
【背景技術】
【０００２】  水洗いに使用する洗浄用具としては、従来から束子やスポンジ、合成樹脂製のブラシなど様々な素材や形態の用具が市販されていた。【０００３】  また、合成繊維製のネットを利用した洗浄用具として、伸縮性かつ熱可塑性を有する合成繊維製のネットを縫い紐で筒状若しくは袋状に絞り込み、ほぼ球状体に構成した洗浄用具が提案されている（例えば、特許文献１参照）。【０００４】  さらに、手形状に成形した軟質のスポンジを、合成繊維製のネットで包み込み縫合して成る手形状の洗浄用具も提案されている（特許文献２参照）。【０００５】  その他に、手にはめて使用するスポンジ製の食器洗い用具（特許文献３参照）や指先にクッション材を備えた手袋状の洗浄用具（特許文献４参照）があった。【０００６】
【特許文献１】  特許第３２８２１１０号公報
【特許文献２】  特開２００５−６６２７５号公報
【特許文献３】  実開昭６２−１９９０４７号公報
【特許文献４】  実開平５−５８０６号公報
【考案の開示】
【考案が解決しようとする課題】
【０００７】  従来、被洗浄物を洗う場合は手に洗浄用具を持って洗っていた。従って被洗浄物や洗浄部分に手が触れないため、洗浄するときの手触り感が得られないので、汚れの部分を手で直接的に洗浄ことが容易でなかった。【０００８】  また、洗浄する対象物や汚れの部分を擦る場合は、その対象や部分に対応して種々雑多な洗浄用具を介するため、指先に洗浄する力を入れる加減が容易でなかった。【０００９】  なお、手袋状の洗浄用具を使って汚れを落とすときは、第２指に力を入れて擦り落としていた。しかし、第２指に力を入れると、指は第１関節を軸として関節可動範囲で動き、第２関節で指袋の内部を広げ張るため、その指袋を抗張力の限界で使用しても、使用頻度が多い第２指袋はネットの繊維が延びた状態になるので、被洗浄物との摩擦で網の結節が擦り切れることがあった。【００１０】  さらに、手袋状の洗浄用具は、手にフィットしないと洗浄中に抜け落ちることがあり、また、使用する頻度が多い部位の繊維は延びて弛むなどの不都合があった。【００１１】  従って、本考案の目的は、手にフィットして、網の擦り切れを防ぎ、洗浄する手触りの感触を得られ易くした、手袋状の洗浄用具を提供することにある。
【課題を解決するための手段】
【００１２】  上記目的を達成するために、本考案は、合成繊維製のネットを重畳した状態で、手形状に甲面部と掌面部及び五指片を形成し、当該甲面部と掌面部及び五指片を合掌状に重ね合わせ外周縁を一体形に縫合した、手袋状の洗浄用具である。【００１３】  ネットを重畳した状態で、甲面部の上部に五指片を一体形状に形成し、甲面部の上部に形成した第１指片と隣接する第２指片の上端から付け根の間に弓形状の一側縁を形成し、その甲面部を形成する両側縁の下部に曲線状の開口縁を設け、ネットが重畳された状態の開口縁を一体形に縫合し、甲面部の上部に形成した第１指片、第２指片、第３指片の各上端から開口縁の間にネットのずれや弛みを防ぐ線条の補強糸を縫着して、五指片を有する甲面部を構成する。【００１４】  前記甲面部の下部に設けた開口縁を縫合する代わりに、開口縁を一体形に熱溶着してもよい。【００１５】  前記甲面部を構成する線条の補強糸を縫着する代わりに、線条の熱溶着部を設けてもよい。【００１６】  ネットを重畳した状態で、掌面部の上部に五指片を一体形状に形成し、掌面部の上部に形成した第１指片と隣接する第２指片の上端から付け根の間に弓形状の一側縁を形成し、その掌面部を形成する両側縁の下部に曲線状の開口縁を設け、ネットが重畳された状態の開口縁を一体形に縫合し、掌面部の上部に形成した第１指片、第２指片、第３指片の各上端から開口縁の間にネットのずれや弛みを防ぐ線条の補強糸を縫着して、五指片を有する掌面部を構成する。【００１７】  ネットのずれや弛みを防ぐ補強糸は、ナイロン製テグス、革紐、撚り糸などを利用する。【００１８】  掌面部の下部に設けた開口縁を縫合する代わりに、開口縁を一体形に熱溶着してもよい。【００１９】  掌面部を構成する線条の補強糸を縫着する代わりに、線条の熱溶着部を設けてもよい。【００２０】  ネットを重畳した状態で、手形状に甲面部と掌面部及び夫々の五指片を合掌状に重ね合わせ外周縁を一体形に縫合し、当該外周縁で囲まれた甲面部と掌面部及び夫々の五指片の内面で五指袋を有する手袋を構成し、また甲面部と掌面部の下部に設けた開口縁で囲まれた開口部を構成し、さらに開口縁近傍の内側に、ネットの網目に挿通して結束される紐を設けたことを特徴とする、手袋状の洗浄用具である。【００２１】  手形状の甲面部、掌面部並びに五指片の外周縁を一体形に縫合する代わりに、外周縁を一体形に熱溶着してもよい。
【考案の効果】
【００２２】  本考案は、合成樹脂製のネットを利用した手袋状の洗浄用具であって、被洗浄物を把持する機能性を有し、被洗浄物や洗浄する部分に接する場合は、洗浄用具を介することなく、指先の手触り感で力の入れ加減が容易であって、しかもネットの網目で汚れを擦り落とし易い。【００２３】  また、複数のネットを重畳して手袋状に構成したので、擦りの強さに対し強靭で擦り切れを防ぎ、水切れがよく乾きが早い。【００２４】  さらに、第２指袋を構成する第２指片の一側縁を弓形状に形成したので、第２指袋の中心の半径が長く、第２指の指先に力を入れても、指は第２指袋の中で第１関節を軸として動き易く、第２関節の動きで第２指袋の内部を広げ張っても、ネットの抗張力に負担をかけることなく、摩擦によるネットの擦り切れを防ぐことができる。【００２５】  また、溝などの狭隘なところも第２指袋の先端の網目で汚れを掻き取り易い。【００２６】  さらに、甲面部と掌面部には、第１指片、第２指片、第３指片の上端から開口縁の間に線条の補強糸を縫着したので、長期の使用によって生ずる繊維のずれや弛みを防ぐことができる。なお、その補強糸の代わりに、線条の熱溶着部を設けても繊維のずれや弛みを防ぐことができる。【００２７】  また、手を出し入れする開口縁近傍の内側に、ネットの網目に挿通して結束される紐を設けたので、手首に絞め付けやすく、抜け落ちを防ぐことができる。
【考案を実施するための最良の形態】
【００２８】  本考案は、合成繊維製のネットを重畳した状態で、手形状に甲面部１と掌面部８及び五指片２、９を形成し、当該甲面部１と掌面部８及び五指片２、９の外周縁１４を合掌状に重ね合わせ一体形に縫合した、手袋状の洗浄用具である。【００２９】  以下、本考案をその実施の形態を示す図面に基づいて説明する。【００３０】第１実施の形態
図１は、合成繊維製のネットを重畳した状態で、手形状の甲面部１と五指片２を一体形状に形成し、甲面部の上部に形成した第１指片１２と隣接する第２指片２２の上端から付け根の間に弓形状の一側縁を形成し、甲面部１を形成する両側縁の下部に設けた曲線状の開口縁３を一体形に縫合し、また甲面部１の上部に形成した第１指片１２、第２指片２２、第３指片３２の上端から開口縁３の間にネットのずれや弛みを防ぐ線条の補強糸４を縫着する。【００３１】  図２は、前記甲面部１及び五指片２と同一形状の掌面部８、五指片９が合掌状に重ね合った状態を示し、当該掌面部８と五指片９はネットを重畳した状態で形成し、掌面部８の上部に形成した第１指片１９と隣接する第２指片２９の上端から付け根の間に弓形状の一側縁を形成し、掌面部８を形成する両側縁の下部に設けた曲線状の開口縁１０を一体形に縫合し、掌面部８の上部に形成した第１指片１９、第２指片２９、第３指片３９の上端から開口縁１０の間にネットのずれや弛みを防ぐ線条の補強糸１１を縫着し、更に甲面部１と掌面部８及び五指片２、９を合掌状に重ね合わせた外周縁１４を一体形に縫着し、当該外周縁１４で囲まれた甲面部１と掌面部８及び五指片２、９の内面で五指袋を有する手袋を構成し、甲面部１と掌面部８の下部に設けた開口縁３、１０で手を出し入れする開口部１５を構成し、さらに弾力性を有する紐７を開口部１５の内部から網目５に差し入れ、更に他方の網目６に挿通し、また当該紐７の先端を掌面部８の網目１２を介して、他方の網目１３に挿通し、引き出して両端を結束した紐７を開口縁３，１０近傍の内側に設ける。なお、結束した紐７は結束部位より先端に余剰を有することを特徴とする、手袋状の洗浄用具である。【００３２】第２実施の形態
前記第１実施の形態において、甲面部１と掌面部８の第１指片１２、１９と第２指片２２、２９及び第３指片３２、３９の上端から開口縁３、１０に向かってネットのずれや弛みを防ぐ線条の補強糸４、１１を縫着する代わりに、線条の熱溶着部（図示せず）を設け、また、甲面部１と掌面部８の下部に設けた開口縁３，１０を縫合する代わりに、当該開口縁３、１０を一体形に熱溶着し、更に甲面部１と掌面部８及び五指片２、９の外周縁１４を縫合する代わりに、当該外周縁１４を一体形に熱溶着したことを特徴とする、手袋状の洗浄用具である。【００３３】  前記第１及び第２の実施の形態において、補強糸はナイロン製のテグス等が利用できる。【００３４】  本考案の実施の形態は上述の如き構成から成るものであるから、五指袋を有する手袋に手を差し入れて、被洗浄物や汚れた部分を洗浄する用具として用いることは勿論であるが、からだをマッサージする用具として使用することも可能である。
【図面の簡単な説明】
【００３５】
【図１】  本考案に係る甲面部の平面図である。
【図２】  本考案の手袋状の一実施例を示す平面図である。
【符号の説明】
【００３６】  １  甲面部
２  五指片
１２  第１指片
２２  第２指片
３２  第３指片
３  開口縁
４  補強糸
５  網目
６  網目
７  紐
８  掌面部
９  五指片
１９  第１指片
２９  第２指片
３９  第３指片
１０  開口縁
１１  補強糸
１２  網目
１３  網目
１４  外周縁
１５  開口部
１６  結束部
【図１】
0003126926.tif 000003
【図２】
0003126926.tif 000004
【手続補正書】
【提出日】平成18年8月8日(2006.8.8)
【手続補正１】
【補正対象書類名】実用新案登録請求の範囲
【補正対象項目名】全文
【補正方法】変更
【補正の内容】
【実用新案登録請求の範囲】
【請求項１】
合成繊維製のネットを重畳した状態で、手形状に甲面部と掌面部及び五指片を形成し、甲面部と掌面部の第１指片に隣接する第２指片の一側縁を弓形状に形成し、甲面部と掌面部を形成する両側縁の下部に設けた開口縁を縫合し、甲面部と掌面部の上部に形成した第１指片、第２指片、第３指片の上端から開口縁の間に線条の補強糸を縫着し、甲面部と掌面部及び五指片を合掌状に重ね合わせ外周縁を一体形に縫合し、当該外周縁で囲まれた甲面部、掌面部及び五指片の内面で五指袋を有する手袋を構成し、甲面部と掌面部の下部に設けた開口縁で開口部を構成することを特徴とした、手袋状の洗浄用具。
【請求項２】
甲面部と掌面部において、第１指片、第２指片、第３指片の上端から開口縁の間に線条の熱溶着部を設けた請求項１記載の手袋状の洗浄用具。
【請求項３】
甲面部と掌面部において、夫々の両側縁の下部に設けた開口縁を熱溶着した請求項１記載の手袋状の洗浄用具。
【請求項４】
甲面部と掌面部を合掌状に重ね合わせ外周縁を一体形に熱溶着した請求項１記載の手袋状の洗浄用具。
【請求項５】
開口縁の内側に弾力性を有する紐を結束して設けた請求項１，２、３または４記載の手袋状の洗浄用具。